【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
内部が接地金属板で区画されて形成される低圧制御区画部、高圧スイッチ区画部、及び母線、ケーブル区画部を有する筐体と、該筐体の前記高圧スイッチ区画部に配置された真空開閉器及び真空接地開閉器と、前記筐体の前記母線、ケーブル区画部に配置された母線/又はケーブルとを備え、
前記真空開閉器は、それぞれが可動接点と固定接点からなると共に、該可動接点と固定接点の周囲が絶縁筒で覆われ、閉、開、断路の３位置で動作する２対の開閉器部を有し、該２対の開閉器部が真空容器内に配置されて形成され、一方、前記真空接地開閉器は、可動接点と固定接点からなり、該可動接点と固定接点の周囲が絶縁筒で覆われる開閉器部を有し、該開閉器部が前記真空とは別の真空容器内に配置されて形成されていると共に、前記真空開閉器と前記真空接地開閉器が一体にモールドされていることを特徴とする真空絶縁スイッチギヤ。
【請求項２】
請求項１に記載の真空絶縁スイッチギヤにおいて、
前記筐体内は、縦方向上から低圧制御部、高圧スイッチ区画部、母線、ケーブル区画部の順に前記接地金属板で区画されていることを特徴とする真空絶縁スイッチギヤ。
【請求項３】
請求項１又は２に記載の真空絶縁スイッチギヤにおいて、
前記筐体の高圧スイッチ区画部内に配置されている前記真空開閉器と前記真空接地開閉器の各真空容器は、略平行に併設して配置されていると共に、前記真空開閉器と前記真空接地開閉器は、系統の電圧を検出する電圧検出器とも一体のモールドされ、かつ、前記両開閉器をそれぞれ操作する操作装置が前記高圧スイッチ区画部に配置されていることを特徴とする真空絶縁スイッチギヤ。
【請求項４】
請求項１に記載の真空絶縁スイッチギヤにおいて、
前記真空開閉器の開閉器部の一方の前記固定接点は第１のフィーダを介して固体絶縁された前記母線に接続されていると共に、他方の前記固定接点は第２のフィーダを介してケーブルヘッドに接続され、かつ、前記第１及び第２のフィーダは、前記真空開閉器及び前記真空接地開閉器と共に一体にモールドされていることを特徴とする真空絶縁スイッチギヤ。
【請求項５】
請求項１又は３に記載の真空絶縁スイッチギヤにおいて、
前記真空容器の開閉器部の一方の前記可動接点と他方の可動接点の両者は、可動導体で連結され、かつ、該可動導体には真空絶縁ロッドが連結されていると共に、該真空絶縁ロッドは、ベローズを介して前記真空容器外に導出されて気中絶縁操作ロッドに連結され、該気中絶縁操作ロッドは、操作ロッドを介して操作装置に連結されていることを特徴とする真空絶縁スイッチギヤ。
【請求項６】
請求項１又は３に記載の真空絶縁スイッチギヤにおいて、
前記真空接地開閉器の開閉器部の前記固定接点はフィーダに接続され、一方、前記可動接点には真空絶縁操作ロッドが連結されていると共に、該真空絶縁操作ロッドは、ベローズを介して前記真空容器外に導出されて真空接地開閉器用の絶縁操作ロッドに連結され、該真空接地開閉器用の絶縁操作ロッドは、真空接地開閉器用の操作装置に連結されていることを特徴とする真空絶縁スイッチギヤ。
【請求項７】
請求項１又は３に記載の真空絶縁スイッチギヤにおいて、
前記母線、ケーブル区画部に、前記真空開閉器の開閉器部の一方の固定接点と導体を介して接続される計器用変圧器が配置され、該計器用変圧器と前記真空開閉器との間に、前記導体に開閉器部の固定接点が接続された真空接地開閉器が配置されていることを特徴とする真空絶縁スイッチギヤ。
【手続補正２】
【補正対象書類名】明細書
【補正対象項目名】０００１
【補正方法】変更
【補正の内容】
【０００１】
本発明は、真空絶縁スイッチギヤに係り、例えば、受電設備に使用するのに好適な真空絶縁スイッチギヤに関するものである。
【手続補正３】
【補正対象書類名】明細書
【補正対象項目名】０００２
【補正方法】変更
【補正の内容】
【０００２】
受電設備においては、負荷電流あるいは事故電流を遮断するための真空遮断器、負荷の保守点検を行う際に作業者の安全を確保するための断路器と接地開閉器、系統電圧・電流の検出装置、更に保護リレーなどが筐体内に収納されてなる閉鎖形配電盤（スイッチギヤと称す）を設置している。
【手続補正４】
【補正対象書類名】明細書
【補正対象項目名】０００３
【補正方法】変更
【補正の内容】
【０００３】
このスイッチギヤの絶縁方式は、多種多様で、従来からの気中絶縁盤、ＳＦ６ガスを使ったキュービクル形ＧＩＳに加えて、昨今では環境対応の観点から固体絶縁、圧縮空気絶縁、全真空絶縁などが登場していると共に、各種絶縁方式によって遮断器、断路器、接地開閉器の各コンポーネントの小形化が加速する中、単一容器内に遮断、断路、接地の機能を集積した真空バルブを、絶縁ガス容器内に収納したもの（集積型スイッチギヤ）が提案されている（例えば、特許文献１参照。）。
【手続補正５】
【補正対象書類名】明細書
【補正対象項目名】０００５
【補正方法】変更
【補正の内容】
【０００５】
上述した集積型スイッチギヤは、単一容器内に遮断、断路、接地の機能を集積した真空バルブを、絶縁ガス容器内に収納したものであるので、例えば、都市部での配電設備の小形軽量化のニーズに対応し得るものである。
【手続補正６】
【補正対象書類名】明細書
【補正対象項目名】０００９
【補正方法】変更
【補正の内容】
【０００９】
上記の目的を達成するために、第１の発明は、内部が接地金属板で区画されて形成される低圧制御区画部、高圧スイッチ区画部、及び母線、ケーブル区画部を有する筐体と、該筐体の前記高圧スイッチ区画部に配置された真空開閉器及び真空接地開閉器と、前記筐体の前記母線、ケーブル区画部に配置された母線/又はケーブルとを備え、前記真空開閉器は、それぞれが可動接点と固定接点からなると共に、該可動接点と固定接点の周囲が絶縁筒で覆われ、閉、開、断路の３位置で動作する２対の開閉器部を有し、該２対の開閉器部が真空容器内に配置されて形成され、一方、前記真空接地開閉器は、可動接点と固定接点からなり、該可動接点と固定接点の周囲が絶縁筒で覆われる開閉器部を有し、該開閉器部が前記真空とは別の真空容器内に配置されて形成されていると共に、前記真空開閉器と前記真空接地開閉器が一体にモールドされている真空絶縁スイッチギヤにある。
【手続補正７】
【補正対象書類名】明細書
【補正対象項目名】００１０
【補正方法】変更
【補正の内容】
【００１０】
また、第２の発明は、第１の発明において、前記筐体内は、縦方向上から低圧制御部、高圧スイッチ区画部、母線、ケーブル区画部の順に前記接地金属板で区画されている。
【手続補正８】
【補正対象書類名】明細書
【補正対象項目名】００１１
【補正方法】変更
【補正の内容】
【００１１】
更に、第３の発明は、第１又は第２の発明において、前記筐体の高圧スイッチ区画部内に配置されている前記真空開閉器と前記真空接地開閉器の各真空容器は、略平行に併設して配置されていると共に、前記真空開閉器と前記真空接地開閉器は、系統の電圧を検出する電圧検出器とも一体のモールドされ、かつ、前記両開閉器をそれぞれ操作する操作装置が前記高圧スイッチ区画部に配置されている。
【手続補正９】
【補正対象書類名】明細書
【補正対象項目名】００１２
【補正方法】変更
【補正の内容】
【００１２】
また、第４の発明は、第１の発明において、前記真空開閉器の開閉器部の一方の前記固定接点は第１のフィーダを介して固体絶縁された前記母線に接続されていると共に、他方の前記固定接点は第２のフィーダを介してケーブルヘッドに接続され、かつ、前記第１及び第２のフィーダは、前記真空開閉器及び前記真空接地開閉器と共に一体にモールドされている。
【手続補正１０】
【補正対象書類名】明細書
【補正対象項目名】００１３
【補正方法】変更
【補正の内容】
【００１３】
更に、第５の発明は、第１又は第３の発明において、前記真空容器の開閉器部の一方の前記可動接点と他方の可動接点の両者は、可動導体で連結され、かつ、該可動導体には真空絶縁ロッドが連結されていると共に、該真空絶縁ロッドは、ベローズを介して前記真空容器外に導出されて気中絶縁操作ロッドに連結され、該気中絶縁操作ロッドは、操作ロッドを介して操作装置に連結されている。
【手続補正１１】
【補正対象書類名】明細書
【補正対象項目名】００１４
【補正方法】変更
【補正の内容】
【００１４】
また、第６の発明は、第１又は第３の発明において、前記真空接地開閉器の開閉器部の前記固定接点はフィーダに接続され、一方、前記可動接点には真空絶縁操作ロッドが連結されていると共に、該真空絶縁操作ロッドは、ベローズを介して前記真空容器外に導出されて真空接地開閉器用の絶縁操作ロッドに連結され、該真空接地開閉器用の絶縁操作ロッドは、真空接地開閉器用の操作装置に連結されている。
【手続補正１２】
【補正対象書類名】明細書
【補正対象項目名】００１５
【補正方法】変更
【補正の内容】
【００１５】
更に、第７の発明は、第１又は第３の発明において、前記母線、ケーブル区画部に、前記真空開閉器の開閉器部の一方の固定接点と導体を介して接続される計器用変圧器が配置され、該計器用変圧器と前記真空開閉器との間に、前記導体に開閉器部の固定接点が接続された真空接地開閉器が配置されている。